(57)【要約】      （修正有）【課題】特別な画像合成装置等を必要とせず、美しい装飾画像を簡便に得ることが可能な装飾構造体を提供する。【解決手段】撮影の際に被写体である人物とともに撮影空間を装飾する装飾構造体１０であって、装飾構造体の輪郭を形成する輪郭形成部材１０１を有し、被写体と対峙する側の被写体側輪郭形成部材表面には被写体に対して光を照射する照射部材（複数のＬＥＤ素子）が設けられる。【選択図】図１
0003225077.tif 000002
【実用新案登録請求の範囲】
【請求項１】
撮影の際に被写体である人物とともに撮影空間を装飾する装飾構造体であって、
当該装飾構造体の輪郭を形成する輪郭形成部材を有し、
前記被写体と対峙する側の被写体側輪郭形成部材表面には前記被写体に対して光を照射する照射部材が設けられること
を特徴とする装飾構造体。
【請求項２】
前記照射部材は前記輪郭形成部材表面に複数のＬＥＤ素子が配置されることにより構成されていること
を特徴とする請求項１に記載の装飾構造体。
【請求項３】
前記被写体としての人物が乗降する床面を形成する床面部材を備え、
前記輪郭形成部材は前記床面部材に対して着脱自在に設けられること
を特徴とする請求項１又は請求項２に記載の装飾構造体。
【請求項４】
前記輪郭形成部材を着脱自在とする着脱手段が前記床面の全域に亘って形成されていること
を特徴とする請求項３に記載の装飾構造体。
【請求項５】
前記輪郭形成部材の形状には図形、文字、記号、又はこれらの組み合わせが含まれること
を特徴とする請求項１乃至請求項４の何れか１項に記載の装飾構造体。
【請求項６】
前記被写体の背面側に背面部材を更に備えること
を特徴とする請求項１乃至請求項５の何れか１項に記載の装飾構造体。
【請求項７】
前記背面部材は透明部材であること
を特徴とする請求項６に記載の装飾構造体。
【請求項８】
前記背面部材は不透明部材であること
を特徴とする請求項６に記載の装飾構造体。
【考案の詳細な説明】
【技術分野】
【０００１】
本考案は、観光地や景勝地といった場所において、撮影の際に被写体である人物とともに撮影空間を装飾する装飾構造体に関するものである。
【背景技術】
【０００２】
観光地や、風景、夜景が優れている景勝地といった場所において、これらの実景を背景とする写真や映像の撮影が行われている。この際、より写真映えするよう、例えば、設置されている看板、オブジェクト、又は身の回り品等の装飾物を画面に映り込ませて撮影を行い、撮影画像を装飾することも度々行われている（以下、このような画像を装飾画像と称することがある）。
【０００３】
ところで、風景や夜景等を背景とする撮影は存外に失敗することが多い。例えば、山や海等を背景とする場合、被写体に対して太陽が逆光の位置となり、撮影画像が著しく暗くなるといったことがある。また、ＬＥＤ（Ｌｉｇｈｔ Ｅｍｉｔｔｉｎｇ Ｄｉｏｄｅ）やその他の照明手段でイルミネーションが施された夜景を背景として人物を撮影する場合、イルミネーションの光の量と撮像装置のフラッシュ等の光量とのバランスが悪く、美しい背景と人物とを調和を維持した状態で撮影画像を得ることは難しい。
【０００４】
例えば、特許文献１には、天候が良好でないといった場合に、きれいな景勝地を背景として旅行者を写した記念写真を撮影することが可能とするべく、各景勝地等に設置し、その景勝地特有の風景や記念物等の美しいカラー画像を予め画像データとして格納しておき、その景勝地を訪れた旅行者が必要とする際にはその人物像を撮影してカラー画像の画像データを作成し、両画像データを合成してカラー印刷できるようにした画像合成印刷装置について記載がなされている。
【先行技術文献】
【特許文献】
【０００５】
【特許文献１】特開平９−３３１４４４号公報
【考案の概要】
【考案が解決しようとする課題】
【０００６】
しかしながら、特許文献１の画像合成印刷装置では、予め格納された背景画像に係る画像データしか画像合成に用いることができず、また、より写真映えするような装飾画像を得ることはできない。本考案は、このような実情に鑑みてなされたものであり、特別な画像合成装置等を必要とせず、美しい装飾画像を簡便に得ることが可能な装飾構造体を提供することを課題とする。
【課題を解決するための手段】
【０００７】
上記課題を解決するため、本考案に係る装飾構造体は、撮影の際に被写体である人物とともに撮影空間を装飾する装飾構造体であって、当該装飾構造体の輪郭を形成する輪郭形成部材を有し、被写体と対峙する側の被写体側輪郭形成部材表面には被写体に対して光を照射する照射部材が設けられることを特徴としている。
【０００８】
この場合、照射部材は輪郭形成部材表面に複数のＬＥＤ素子が配置されることにより構成されていることが好ましい。
【０００９】
また、本考案に係る装飾構造体は、上記構成に加え、被写体としての人物が乗降する床面を形成する床面部材を備え、輪郭形成部材は床面部材に対して着脱自在に設けられることを特徴としている。この場合、輪郭形成部材を着脱自在とする着脱手段が床面の全域に亘って形成されていることが好ましい。
【００１０】
また、本考案に係る装飾構造体の輪郭形成部材の形状には図形、文字、記号、又はこれらの組み合わせが含まれることを特徴としている。
【００１１】
さらに、本考案に係る装飾構造体は、被写体の背面側に背面部材を更に備えることを特徴としている。この場合、背面部材は透明部材又は不透明部材であることが好ましい。
【考案の効果】
【００１２】
本考案によれば、特別な画像合成装置を必要とせず、美しい装飾画像を簡便に得ることが可能な装飾構造体を提供することができる。
【図面の簡単な説明】
【００１３】
【図１】本考案に係る装飾構造体１０の斜視図である。
【図２】（ａ）は撮像装置側から見た装飾構造体１０の正面図であり、（ｂ）は被写体と対峙する側から見た装飾構造体１０の正面図である。
【図３】床面部材１０２の構成を説明する斜視図である。
【図４】本考案に係る装飾構造体２０の斜視図である。
【図５】被写体としての人物を撮影する際のイメージを表した図である。
【図６】実景を背景とした場合における日中（ａ）及び夜間（ｂ）での撮影イメージを表した図である。
【図７】（ａ）輪郭形成部材１３１の例を説明する正面図であり、（ｂ）輪郭形成部材１３３の例を説明する正面図である。
【図８】（ａ）輪郭形成部材１３５の例を説明する正面図であり、（ｂ）輪郭形成部材１３７の例を説明する正面図である。
【図９】本考案に係る装飾構造体３０の斜視図である。
【図１０】（ａ）透明部材の表面を文字で装飾した背面部材１１４の例を説明する図である。（ｂ）背面部材１１４と輪郭形成部材１３９とを用い、山を背景として撮影を行う際のイメージを表した図である。
【図１１】（ａ）不透明部材の表面に実景に近い山の画像が印刷された背面部材１１６の例を説明する図である。（ｂ）装飾構造体３０の設置イメージを説明する図である。
【図１２】被写体としての人物を撮影する際のイメージを表した図である。
【考案を実施するための形態】
【００１４】
本考案の実施形態について図面を参照して説明する。なお、本考案は、以下の記述に限定されるものではなく、本考案の要旨を逸脱しない範囲において適宜変更可能である。また、図面は模式的なものであり、各寸法等は現実なものと異なることがある。具体的な寸法は以下の説明を参酌して判断すべきものである。また、図面相互間においても互いの寸法の関係や比率が異なる部分が含まれていることは無論である。
【００１５】
図１は、本考案に係る装飾構造体の一実施例の斜視図であり、図２（ａ）は撮像装置側から見た装飾構造体の正面図であり、図２（ｂ）は被写体と対峙する側から見た装飾構造体の正面図である。
【００１６】
装飾構造体１０は、例えば、観光地、景勝地といった風景や夜景が美しく、これらの実景を背景として写真や動画を撮影する、所謂、フォトスポットと呼ばれる場所に設置されて利用されるものである。このとき、被写体としての人物は、撮像装置側から見て装飾構造体１０の手前又は奥側に位置し、装飾構造体１０を含めて撮影することにより、装飾画像を得ることができる。このような装飾構造体１０は、図１に示すように、当該装飾構造体１０の輪郭を形成する輪郭形成部材１０１を有する。
【００１７】
輪郭形成部材１０１は、貫通孔１０３が端部側に形成された支持部材１０５と、支持部材１０５に立設された縦向き姿勢の左右一対の縦枠体１０７と、縦枠体１０７の上端部に亘って横向き姿勢で架設された横枠体１０９とを備え、その輪郭が門状となるよう構成されている。
【００１８】
支持部材１０５は横長の板状部材として構成されている。支持部材１０５の両端部には、輪郭形成部材１０１を地面又は後述する床面部材に固定・係合するための貫通孔１０３が設けられている。例えば、地面に対して輪郭形成部材１０１を固定する場合には、当該貫通孔１０３を介して地中にアンカーボルト等を打設すればよい。また、後述する床面部材に対して輪郭形成部材１０１を係合する場合には、当該貫通孔１０３と後述する床板部材に設けられた着脱手段としての係合孔とをボルト等の締結部材により締結することで床面部材に対して輪郭形成部材１０１を係合することができる。
【００１９】
支持部材１０５に立設された縦向き姿勢の左右一対の縦枠体１０７と、縦枠体１０７の上端部に亘って横向き姿勢で架設された横枠体１０９とは、一体として形成することも可能であるし、それぞれ別体として形成し、縦枠体１０７の上端部位置において横枠体１０９を取付ける形態としても構わない。また、本実施例においては、横枠体１０９を横長の板状部材として構成し、一体化後の形状が門状となる形態について説明するが、これに限定されるものではなく、例えば、横枠体１０９を円弧状に形成することも可能であるし三角形状といった多角形状とすることも無論可能である。
【００２０】
輪郭形成部材１０１は、木材、金属等で構成することも可能であるが、加工の容易さ、耐久性、価格等を考慮してプラスチックを材質とするのが好ましい。輪郭形成部材１０１に使用可能なプラスチックとしては、例えば、低密度ポリエチレン（ＬＤＰＥ）、高密度ポリエチレン（ＨＤＰＥ）、ポリプロピレン（ＰＰ）、ポリ塩化ビニル（ＰＶＣ）、ポリ塩化ビニリデン、ポリスチレン（ＰＳ）、ポリ酢酸ビニル（ＰＶＡｃ）、ポリウレタン（ＰＵＲ）、アクリロニトリルブタジエンスチレン樹脂（ＡＢＳ）、アクリル樹脂（ＰＭＭＡ）等の汎用樹脂、ポリアミド（ＰＡ）、ポリアセタール（ＰＯＭ）、ポリカーボネート（ＰＣ）、変性ポリフェニレンエーテル（変性ＰＰＥ）、ポリエチレンテレフタレート（ＰＥＴ）、ポリブチレンテレフタレート（ＰＢＴ）、環状ポリオレフィン（ＣＯＰ）等のエンジニアプラスチック、又はポリフェニレンスルファイド（ＰＰＳ）、ポリテトラフロロエチレン（ＰＴＦＥ）、ポリサルフォン（ＰＳＦ）、ポリエーテルサルフォン（ＰＥＳ）、ポリエーテルエーテルケトン（ＰＥＥＫ）、熱可塑性ポリイミド（ＰＩ）、ポリアミドイミド（ＰＡＩ）等のスーパーエンジニアプラスチックを挙げることができる。なお、支持部材１０５については、耐久性等を考慮し、別体で金属製とすることも可能である。そして、これらのプラスチックを用い射出成形するか、又はカレンダー成形によって板状部材を作成し、これを打ち抜き加工して輪郭形成部材１０１を製造することができる。
【００２１】
前述したように、輪郭形成部材１０１の外形は門状とされ、図２（ａ）に示すように、構造体高さ（Ｈ）は２．５〜３．０ｍ、幅（Ｗ）は２．０〜２．５ｍが好適とされる。縦枠体１０７と横枠体１０９とで形成される門内側は、被写体としての人物が複数人収容可能なスペースとされ、団体旅行等で訪れた観光客の複数人での同時撮影を可能としている。なお、輪郭形成部材１０１の撮像装置側輪郭部形成部材表面１１１は、ここでの説明では、無地・無着色とされるが、これに限定されず、例えば、観光地（景勝地）名称・略称、緯度・軽度情報、お土産品情報、スポンサー名称、その他の情報や、図形、記号、色彩、模様、又はこれらの組み合わせ等を表示することもできる。
【００２２】
図２（ｂ）に示されるように、被写体と対峙する側の被写体側輪郭形成部材表面１１３には、縦枠体１０７及び横枠体１０９全面に亘って、被写体に光を照射する照射部材としてのＬＥＤ素子が複数個別離して設けられている。各ＬＥＤ素子は図示せぬワイヤで接続されており、同被写体側輪郭形成部材表面１１３に設けられた制御ボックス１２５により点灯、消灯、照度制御が可能となるように構成されている。ＬＥＤ素子は、図２（ｂ）中の拡大図にあるように、制御チップ１１７と白色ＬＥＤチップ１１９とを備えたＬＥＤ素子１１５の構成とすることも可能であるし、制御チップ１１７と三色（赤、緑、青）ＬＥＤチップ１２３とを備えるＬＥＤ素子１２１の構成とすることも可能である。また、必要に応じてチップ上部にレンズ部材を設けてもよい。ここで、三色のＬＥＤチップ１２３からなるＬＥＤ素子１２１を採用した場合、各色の照度を個別制御することで、例えば、季節、時刻等に応じて様々な色彩での照明制御が可能となり、より装飾効果を高めることができる。また、タイマ、人感センサ、照度センサ等の各種センサを設けることで、例えば、設定した時刻に自動的に照明が点灯又は消灯する、観光客等の人物が接近することで自動的に照明が点灯又は消灯する、日没時に自動的に照明が点灯し、日昇時に自動的に照明が消灯する、といった各照明効果の自動制御を図ることも可能である。
【００２３】
前述したように、本実施例に係る輪郭形成部材１０１は、支持部材１０５を介して図３に示す床面部材１０２と着脱自在となるように構成されている。ここで、床面部材１０２は、浅底の箱状部材として構成され、被写体としての人物が乗降する床面１０４を有する。床面１０４には、図１で示した支持部材１０５の両端部に形成された貫通孔１０３のピッチ幅Ｐ１と同幅のピッチ幅Ｐ２で形成された着脱手段としての係合孔１０６が床面１０４の略全領域に亘って形成されている。図４に示すように、支持部材１０５の貫通孔１０３と床面１０４上の係合孔１０６とをボルト等の締結部材１２７により締結することで床面部材１０２に対して輪郭形成部材１０１を係合させ、輪郭形成部材１０１と床面部材１０２とからなる装飾構造体２０を構成することができる。なお、床面部材１０２の底部にはキャスター１０８を設けることも可能であり、また、装飾構造体２０自体も分解が容易であることから、トラック等への積み込み、運搬、設置場所の移動等を容易に行うことができる。
【００２４】
図５は、フォトスポットの適当な箇所Ｇに設置された装飾構造体２０の床面１０４に乗った被写体としての人物を撮影する際のイメージを表した図である。この場合、人物は、輪郭形成部材１０１の後方側床面に位置することにより、被写体側輪郭形成部材表面１１３に設けられた照明部材としてのＬＥＤ素子からの光の照射を受けることができる。
【００２５】
図６は、実景を背景とした場合における日中（ａ）及び夜間（ｂ）での撮影イメージを表した図である。図６（ａ）で示す日中での撮影イメージに示すように、被写体側輪郭形成部材表面１１３に設けられた照明部材としてのＬＥＤ素子から光が照射されることにより、太陽が逆光位置となったとしても十分な光量が確保されるため、撮影画像が著しく暗くなるといった失敗を防止することができる。また、図６（ｂ）で示す夜間での撮影イメージで示すように、被写体側輪郭形成部材表面１１３に設けられた照明部材としてのＬＥＤ素子から光が照射されるため、撮像装置側輪郭部形成部材表面１１１を影絵様に呈することができるとともに、被写体としての人物をより明るく際立たせることが可能であるため、美しい装飾画像を得ることができる。また、実景としてイルミネーションが施された夜景を背景として人物を撮影したとしても、イルミネーションの光の量と撮像装置のフラッシュ等の光量とのバランスを保つことができるため、美しい背景と人物とを調和を維持した状態で装飾画像を得ることができる。
【００２６】
ところで、本考案において、輪郭形成部材１０１の外形は、左右一対の縦枠体１０７と縦枠体１０７の上端部に亘って横向き姿勢で架設された横枠体１０９とからなる門状の態様に限定されるものではない。例えば、図７（ａ）に示すような外形がツリー形状である輪郭形成部材１３１、図７（ｂ）に示すような外形が動物のネコ形状である輪郭形成部材１３３といったように、外形が撮像装置側から見て特定の図形を表す形態であっても構わない。また、図８（ａ）に示すような外形が“ＬＯＶＥ”といった特定の文字（列）である輪郭形成部材１３５、図８（ｂ）に示すような外形がハート形状といった特定の記号である輪郭形成部材１３７の形態であってもよく、これら図形、文字（列）、記号の組合せであっても構わない。本考案に係る輪郭形成部材は、床面１０４上に形成された隣り合う係合孔１０６が示すピッチ幅と同じピッチ幅を有する支持部材を備えるものであれば、その外形形状に制限は無い。そして、当該構成を備えることにより、例えば、季節、時刻等に応じて輪郭形成部材を簡便且つ迅速に交換することができるため、装飾構造体としての利用価値を更に高めることができる。
【００２７】
次に、図９乃至図１２を用いて他の実施例について説明する。図９は被写体としての人物の背面側に背面部材を備えた装飾構造体３０の構成例の一例を説明する斜視図である。装飾構造体３０は、先に説明した輪郭形成部材１０１と床面部材１０２とからなる装飾構造体２０の構成に透明部材又は不透明部材からなる背面部材１１０を加えた構成を有している。
【００２８】
背面部材１１０は、被写体としての人物の背面側の床面１０４に補助部材１１２の補助を受けて立設されている。なお、背面部材１１０についても輪郭形成部材１０１と同様な支持部材を設けて床面１０４に係合させる形態でもよい。
【００２９】
図１０（ａ）は、透明部材の表面を文字で装飾した背面部材１１４の例を説明する図である。透明部材の材質としては、先に例示した各種プラスチックを挙げることでき、この中でもアクリル樹脂（ＰＭＭＡ）、ポリエチレンテレフタレート（ＰＥＴ）、ポリカーボネート（ＰＣ）、ポリ塩化ビニル（ＰＶＣ）等のプラスチックを用いることがより好ましい。しかしながら、これ以外でも、文字や図形等で装飾した部分及び／又はそれ以外の部分を介して実景を透過できる材料であればその選択に制限は無い。
【００３０】
図１０（ｂ）は、図１０（ａ）で示した背面部材１１４と、外形が飲料用のビン形状である輪郭形成部材１３９とを用い、山を背景として撮影を行う際のイメージを表した図である。この例においては、ビン形状の輪郭形成部材１３９内側に背景部材１１４に施された装飾文字“Ｐｏｐ！”が表示され、当該背景部材１１４を介して透過する山の実景を一枚の撮影画像に収めることができ、非常に装飾性に富んだ装飾画像を得ることが可能となっている。
【００３１】
図１１（ａ）は、不透明部材の表面に実景に近い山の画像が印刷された背面部材１１６の例を説明する図である。なお、本実施例で規定する不透明部材とは、図１１（ａ）に示すように、特定の像が印刷された表面を有する部材であってもよいし、各種プラスチックが呈する本来の色（無色又は乳白色）や着色剤等を添加して特定の色に着色した部材であってもよい。
【００３２】
特に、図１１（ａ）に示すような観光地や景勝地の実景に近い画像が印刷された背景部材１１６を備えた装飾構造体３０は、例えば、図１１（ｂ）に示すようにその観光地や景勝地に存在するホテル、旅館、お土産店、又は観光案内所といった建物の壁面に沿って設置することができる。これにより、折角訪れた観光地や景勝地の天気が悪く、思い通りの撮影画像を得ることが困難な場合においても、図１２に示すように、本実施例に係る装飾構造体３０を用いて撮影を行うことで、より実景に近い撮影画像を得ることができる。
【００３３】
なお、不透明部材の表面に印刷される像は、実景に基づく画像でなくとも、例えば、ヒーロー等のキャラクターや、トリックアートといった多種多様なグラフィックを適用することも可能である。
【００３４】
以上のように、本考案によれば、特別な画像合成装置を必要とせず、美しい装飾画像を簡便に得ることが可能な装飾構造体を提供することができる。
【符号の説明】
【００３５】
１０，２０，３０  装飾構造体、１０１，１３１，１３３，１３５，１３７，１３９  輪郭形成部材、１０３  貫通孔、１０５  支持部材、１０７  縦枠体、１０９  横枠体、１１１  撮像装置側輪郭部形成部材表面、１１３  被写体側輪郭形成部材表面、１１５，１２１  ＬＥＤ素子、１１７  制御チップ、１１９  白色ＬＥＤチップ、１２３  三色ＬＥＤチップ、１２５  制御ボックス、１０２  床面部材、１０４  床面、１０６  係合孔、１０８  キャスター、１１０，１１４，１１６  背面部材、１１２  補助部材、１２７  締結部材
【図１】
0003225077.tif 000003
【図２】
0003225077.tif 000004
【図３】
0003225077.tif 000005
【図４】
0003225077.tif 000006
【図５】
0003225077.tif 000007
【図６】
0003225077.tif 000008
【図７】
0003225077.tif 000009
【図８】
0003225077.tif 000010
【図９】
0003225077.tif 000011
【図１０】
0003225077.tif 000012
【図１１】
0003225077.tif 000013
【図１２】
0003225077.tif 000014